(57)【要約】【課題】放送信号内に含まれるオブジェクトの属性情報と、オブジェクトの無音部より、ユーザ所望の楽曲を不要なデータのない状態で自動的に記録することができるようにする。【解決手段】その為に、多重化ストリームを受信する受信手段と、受信手段で受信した多重化ストリームを音声データとセクションに分離するストリーム分離手段と、音声データをデコードするデコーダ手段と、音声データを記録する記録手段と、デコードした音声データから無音部を検出する無音検出手段と、記録手段で自動的に記録すべきデータの属性情報を設定することができる記録属性設定手段と、セクションに含まれる音声データの属性情報と、記録属性設定手段で設定されている属性情報とを比較する属性比較手段と、比較結果より、音声データを記録するか否かを判断し、無音検出点から記録を開始させる記録制御手段を有する。【選択図】      図１
2007172802.tif 000002
【特許請求の範囲】
【請求項１】
多重化ストリームを受信する受信手段と、前記受信手段で受信した多重化ストリームを音声データとセクションに分離するストリーム分離手段と、前記音声データをデコードした音声信号の無音期間を検出する無音検出手段と、を有した多重化ストリームの情報区切り位置検出方法であって、
前記セクションに含まれる音声データの属性情報を検出し、
次に前記無音検出手段が最初に無音期間を検出したときに前記音声信号の区切りを設定するための信号を出力することを特徴とする多重化ストリームの情報区切り位置検出方法。
【請求項２】
前記音声信号の区切りを設定するための信号を、記録情報の区切りマークとし、前記記録情報と共に記録手段にて記録することを特徴とする請求項１記載の多重化ストリームの情報区切り位置検出方法。
【請求項３】
多重化ストリームを受信する受信手段と、
前記受信手段で受信した多重化ストリームを音声データとセクションに分離するストリーム分離手段と、
前記音声データをデコードするデコーダ手段と、
記録手段と、
前記記録手段で自動的に記録すべきデータの属性情報を複数設定することができる属性設定手段と、
前記セクションに含まれる音声データの属性情報と前記属性設定手段で設定されている属性情報を比較し、属性が一致するか否かを判定する属性比較手段と、
前記デコードした音声データから無音部を検出する無音検出手段と、
前記属性比較手段が前記属性一致の判定結果を得て、次に前記無音検出手段が最初に無音検出したときに前記記録手段に記録を開始させ、また、記録中であった場合は、最初に無音検出したときに記録を停止させる記録制御手段と、
を有することを特徴とする音声ディジタル放送記録装置。
【請求項４】
前記多重化ストリームは、属性情報より後れて音声データが多重化されている構成を有することを特徴とする請求項３載の音声ディジタル放送記録装置。
【請求項５】
前記セクションは、音声データに関する複数の属性情報を有することを特徴とする請求項３載の音声ディジタル放送記録装置。
【請求項６】
前記記録制御手段は、前記デコーダ手段と前記記録手段の間に設けられているスイッチを制御する手段を有する請求項３記載の音声ディジタル放送記録装置。
【請求項７】
多重化ストリームを受信する受信手段と、
前記受信手段で受信した多重化ストリームを音声データとセクションに分離するストリーム分離手段と、
前記音声データをデコードするデコーダ手段と、
記録手段と、
前記記録手段で自動的に記録すべきデータの属性情報を複数設定することができる属性設定手段と、
前記セクションに含まれる音声データの属性情報と前記属性設定手段で設定されている属性情報を比較し、属性が一致するか否かを判定する属性比較手段と、
前記デコードした音声データから無音部を検出する無音検出手段と、
前記属性比較手段が前記属性一致の判定結果を得て、次に前記無音検出手段が最初に無音検出したときに前記記録手段に前記音声データの記録を開始させ、また、記録処理中に新たに属性情報を受信することなく最初に無音検出したときに記録を停止させるが、記録処理中に新たに属性情報を受信し、かつこの属性情報が前記属性設定手段で設定されている属性情報と一致した場合、次の最初の無音検出点で今までの楽曲記録の終了を行うと共に、次の楽曲の記録開始を行わせる記録制御手段と、
を有することを特徴とする音声ディジタル放送記録装置。
【請求項８】
多重化ストリームを受信する受信手段と、前記受信手段で受信した多重化ストリームを音声データとセクションに分離するストリーム分離手段と、前記音声データをデコードするデコーダ手段と、前記音声データを記録する記録手段と、前記記録手段で自動的に記録すべきデータの属性情報が設定されている属性設定手段とを有する音声ディジタル放送記録装置において、
前記セクションに含まれる音声データの属性情報と、前記属性設定手段で設定されている属性情報とを比較し、
前記比較された属性情報が一致した場合、前記デコードした音声データに無音部があるかどうかを検出し、
前記無音部が検出されたとき前記記録部に記録を開始させるか、又は、記録動作中で新たに属性情報を受信することなく最初に無音検出したときには前記記録部に記録動作を終了させる
ことを特徴とする記録制御方法。
【請求項９】
記録処理中に新たに属性情報を受信し、かつこの属性情報が前記属性設定手段で設定されている属性情報と一致した場合、次の最初の無音検出点で今までの楽曲記録の終了を行うと共に、次の楽曲の記録開始を行わせることを特徴とする請求項８記載の記録制御方法。
【発明の詳細な説明】
【技術分野】
【０００１】
この発明は、多重化ストリームの情報区切り位置検出方法及び声ディジタル放送記録装置及び記録制御方法に関し、特に放送信号の中の例えば指定楽曲を記録するときの処理を改良したものである。
【背景技術】
【０００２】
現在、ディジタル放送の番組中に楽曲等（オブジェクト）が配信される場合がある。このような環境で用いられる受信装置あるいは記録装置として、所望の楽曲を記録媒体（ハードディスクあるいは半導体メモリ）に記録保存する装置も開発されている（特許文献１）。
【特許文献１】特開２００１−３５２５１７公報
【発明の開示】
【発明が解決しようとする課題】
【０００３】
上記した技術では、記録終了がユーザによって行われた場合、その為、例えば音楽を保存領域に記録する場合、曲の最後で記録が終了されず、次に流れる音が一緒に記録されてしまう可能性がある。また属性情報を検出して自動化すると、属性情報が楽曲に先行して送られてくるので、楽曲が最後まで記録されないこともある。
【０００４】
そこで本発明は、放送信号内に含まれる番組の属性情報と、オブジェクトの無音部検出を利用して、不要なデータが所望の記録番組の前後に混入せず、ユーザ所望の楽曲を自動的に記録することができる多重化ストリームの情報区切り位置検出方法及び声ディジタル放送記録装置及び記録制御方法を提供することを目的とする。
【課題を解決するための手段】
【０００５】
上記した目的を達成するために、多重化ストリームを受信する受信手段１００、１１０と、前記受信手段で受信した多重化ストリームを音声データとセクションに分離するストリーム分離手段１２０と、前記音声データをデコードした音声信号の無音期間を検出する無音検出手段１７０と、を有した多重化ストリームの情報区切り位置検出方法であって、前記セクションに含まれる音声データの属性情報を検出し、次に前記無音検出手段が最初に無音期間を検出したときに前記音声信号の区切りを設定するための信号を出力することを特徴とする。
【発明の効果】
【０００６】
上記した手段により、属性情報の検出と無音期間の検出との両方を併用することにより、安定して音声信号などの区切り位置を特定できることになる。
【発明を実施するための最良の形態】
【０００７】
以下、図面を参照して本発明の一実施形態に係わる音声ディジタル放送受信記録装置について説明する。図１は、本発明に係わる音声ディジタル放送受信記録装置１の構成例を示すブロック図である。
【０００８】
＜構成と各部機能＞
音声ディジタル放送受信記録装置１はアンテナ１００を有する。このアンテナ１００はディジタル音声放送信号を受信する。アンテナはチューナ１１０に接続されている。このチューナ１１０はアンテナ１００で受信した放送信号のチャンネルのうち、所望のものを選択する。チューナ１１０の出力端はＭＰＥＧ２−ＴＳ分離部１２０（ＭＰＥＧ：Moving Picture Expert Group、ＴＳ：Transport Stream）に接続されている。このＭＰＥＧ２−ＴＳ分離部１２０は、多重化されている放送信号に含まれる例えば音声信号（音声ＰＥＳ）、属性情報（ＥＩＴセクション）等を分離するものである。ＭＰＥＧ２−ＴＳ分離部１２０の２つの出力端子は、音声ＰＥＳバッファ１３０（ＰＥＳ：Packetized Elementary Stream）と、ＥＩＴセクションバッファ１６０（ＥＩＴ：Event Information Table）にそれぞれ接続されている。
【０００９】
上記の音声ＰＥＳバッファ１３０は、音声データを一時的に保存するものである。音声ＰＥＳバッファ１３０の出力端子は音声デコーダ１４０に接続されている。音声デコーダ１４０は、音声信号をスピーカ１５０で再生できる形式にデコードするものである。
【００１０】
上記のＥＩＴセクションバッファ１６０は、曲名、歌手名等の属性情報を含むＥＩＴセクションを一時的に保存するものである。ＥＩＴセクションバッファ１６０の出力端子は、楽曲属性比較部１８０に接続されている。また、楽曲属性比較部１８０には記録楽曲属性データ保持部２００が接続されている。楽曲属性比較部１８０の出力端子は記録制御部１９０の信号入力端子に接続されている。
【００１１】
また上記の音声デコーダ１４０の出力端子は、さらに無音検出部１７０に接続されている。この無音検出部１７０は、デコードされた音声信号の無音部を検出するものである。無音検出部１７０の無音検知信号は、記録制御部１９０の信号入力端子に供給される。
【００１２】
記録制御部１９０の楽曲記録信号はスイッチＳＷの制御端子に接続されている。ここで音声ＰＥＳバッファ１３０の出力端子は、スイッチＳＷを介して記録バッファ２１０に接続されている。記録バッファ２１０は記録装置２２０に接続されている。
【００１３】
上記の記録楽曲属性データ保持部２００は、ユーザによって設定された記録すべき楽曲の曲名、歌手名等の属性情報を保存するものである。楽曲属性比較部１８０は、ＥＩＴセクションバッファ１６０から供給される受信した属性情報と、記録楽曲属性データ保持部２００に設定されている設定属性情報の一覧とを比較するものである。記録制御部１９０は、楽曲属性比較部１８０の比較結果に応じて、スイッチＳＷのオン／オフを制御するものである。
【００１４】
スイッチＳＷは、音声ＰＥＳバッファ１３０から記録バッファ２１０への接続をオン又はオフする。記録バッファ２１０は記録装置２２０に記録するデータを一時的に保存しておくものである。
【００１５】
この音声ディジタル放送受信記録装置１内の各部には、制御部２３０の制御信号が接続されている（図示せず）。制御部２３０には、楽曲属性比較部１８０、記録制御部１９０、記録楽曲属性データ保持部２００が含まれる。この制御部２３０は、音声ディジタル放送受信記録装置１の各部の機能を統括的に制御するものである。
【００１６】
＜動作＞
アンテナ１００で放送信号が受信されると、チューナ１１０は受信した放送信号のうち任意の放送信号を選択し、ＭＰＥＧ２−ＴＳ分離部１２０に出力する。ＭＰＥＧ２−ＴＳ分離部１２０は、供給された多重化放送信号を音声信号（音声ＰＥＳ）、属性情報（ＥＩＴセクション）に分離する。そして音声ＰＥＳは音声ＰＥＳバッファ１３０へ、ＥＩＴセクションはＥＩＴセクションバッファ１６０へそれぞれ出力され、一時的に格納される。音声デコーダ１４０は、音声ＰＥＳをデコードし、スピーカ１５０で再生させる。同時にデコードした音声データを無音検出部１７０に出力する。無音検出部１７０は無音であることを示す無音検知信号を記録制御部１９０へ送信する。
【００１７】
また、ＥＩＴセクションバッファ１６０は、ＥＩＴセクションを後段の楽曲属性比較部１８０に出力する。ここで、記録楽曲属性データ保持部２００には、ユーザによって複数の記録すべき楽曲の属性情報が設定されている。楽曲属性比較部１８０は、ＥＩＴセクションからの属性情報と、記録楽曲属性データ保持部２００に設定されている属性情報とを比較する。楽曲属性比較部１８０の比較結果で、一致するものが見つかった場合、記録制御部１９０に楽曲属性一致信号を送信する。
【００１８】
記録制御部１９０は、楽曲属性一致信号と無音検知信号とを用いて楽曲記録信号を生成し、スイッチＳＷを制御する。スイッチＳＷが導通状態になると、音声ＰＥＳバッファ１３０から記録バッファ２１０へ、音声ＰＥＳが出力され一時的に保存される。記録バッファ２１０に格納された音声ＰＥＳは、その後記録装置２２０に記録される。またこのとき、記録制御部１９０は、属性が一致したことの判定結果を得て、次に無音検出部１７０が最初に無音検出したときに記録情報の区切りを設定するための信号を出力する。そしてこの信号を、記録情報の区切りマークとして、記録情報と共に記録装置２２０に記録する。このようにすることで、音声データの再生時に区切りマークを検出し、曲間サーチ、ジャンプなどを行うときに便利である。
【００１９】
上記の説明では、楽曲属性比較部１８０がＥＩＴセクションからの属性情報と、記録楽曲属性データ保持部２００に設定されている属性情報とを比較し、比較結果で、一致するものが見つかった場合、記録制御部１９０に楽曲属性一致信号を送信すると説明した。しかし本発明の特徴点は、送信されてきた楽曲属性情報を検出し、次に無音検出部１７０が最初に無音期間を検出したときに音声信号の区切りを設定するための信号を出力することに最大の特徴がある。つまり、属性情報の検出と無音期間の検出との両方を併用することにより、安定して音声信号などの区切り位置を特定できるというものである。これにより、音声信号の区切りを設定するための信号を例えば、記録情報の区切りマークとして、記録情報と共に記録装置２２０にて記録することができる。
【００２０】
図２は、ディジタル音声放送におけるＭＰＥＧ２−ＴＳの構成の一例を示す図である。ＭＰＥＧ２−ＴＳ（ａ）は、一つ１８８バイトのパケットが列になって構成されている。ペイロード（payload）には、音声ＰＥＳとＥＩＴセクションとが分割されて格納されている。ＴＳヘッダ（TS header）と一つのペイロードで１パケットとなっている。
【００２１】
（ｂ）はＭＰＥＧ２−ＴＳ分離部１２０によって分離された、ＭＰＥＧ２−ＴＳ内のＥＩＴセクションを示している。先頭には、セクションの種類によって決められるテーブルＩＤ（table ID）と呼ばれるＩＤが記載されている。
【００２２】
（ｃ）はＭＰＥＧ２−ＴＳ分離部１２０によって分離された、ＭＰＥＧ２−ＴＳ内の音声ＰＥＳを示している。先頭にはそれぞれ、音声データの再生に係る制御情報を含むＰＥＳヘッダ（PES header）が記載されている。
【００２３】
図３は、図２に示したＭＰＥＧ２−ＴＳの、ＴＳヘッダの構成の一例を示す図である。ＴＳヘッダには、同期バイト（sync byte）、パケットＩＤ（ＰＩＤ：packet ID）、アダプテーションフィールドコントロール（adaptation field control）と、アダプテーションフィールド（adaptation field）とが少なくとも含まれている。
【００２４】
同期バイトは、そのＴＳパケットの先頭を示すものである。ＰＩＤは、その音声ＰＥＳ若しくはＥＩＴセクションの        種類に応じて付与される識別番号である。このＰＩＤによって、ＴＳパケットのデータの識別を行う。即ちＭＰＥＧ２−ＴＳ分離部１２０はＰＩＤを元にＭＰＥＧ２−ＴＳの分離を行う。
【００２５】
アダプテーションフィールドはペイロードのサイズ調整の為のヘッダ拡張部分である。アダプテーションフィールドコントロールはアダプテーションフィールドの状態を示すものである。
【００２６】
図４は、図２に示したＭＰＥＧ２−ＴＳの、音声ＰＥＳの構成の一例を示す図である。音声ＰＥＳは、ＰＥＳヘッダと、圧縮符号化された音声データであるエレメンタリストリーム（Elementary stream）から構成されている。ＰＥＳヘッダには、パケット開始符号プリフィックス（packet start code prefix）と、ストリームＩＤ（stream id）と、ＰＥＳパケット長（PES packet length）と、ＰＴＳＤＴＳフラグ（pts_dts flags）と、ＰＴＳ（ＰＴＳ：Presentation Time Stamp）とが少なくとも含まれている。
【００２７】
パケット開始符号プリフィックスは、ＰＥＳパケットの先頭であることを示す開始符号である。ストリームＩＤは、ＰＥＳパケットの種類を示す識別子である。ＰＥＳパケット長は、ＰＥＳパケットの長さを示すものである。パケットの長さは、ＰＥＳパケット長のフィールドから、ＰＥＳパケットの最後までの長さである。
【００２８】
ＰＴＳは、このパケットの再生を開始させる時刻を示している。ＰＴＳＤＴＳフラグは、ＰＴＳとＤＴＳの有無を示すフラグである。ＤＴＳ（ＤＴＳ：Decoding Time Stamp）とは、このパケットの復号を開始させる時刻を示すものである。
【００２９】
図５は、図２に示したＭＰＥＧ２−ＴＳの、ＥＩＴセクションの構成の一例を示す図である。ディジタル音声放送におけるＭＰＥＧ２−ＴＳに多重されるセクションの種類は複数あるが、構造は基本的に同じである。一般的なセクションは、テーブルＩＤ、記述子（descriptor）と、巡回冗長検査（ＣＲＣ３２：Cyclic Redundancy Check 32）とが少なくとも含まれる。
【００３０】
テーブルＩＤは、セクションの種別を示す識別子である。記述子のフィールドには、ペイロード中のデータの記述子が記載されている。ＣＲＣ３２は、データの正当性を保証するものである。
【００３１】
また、本発明に係るＥＩＴセクションでは、記述子はショートイベント述子（short event descriptor）と、拡張イベント記述子（extended event descriptor）とで構成されている。拡張イベント記述子はさらに記述子タグ（descriptor tag）と、記述子長（descriptor length）と、曲名、歌手名などの属性情報を含む。
【００３２】
ショートイベント記述子は、一般的なセクションの記述子と同様のものである。記述子タグは、拡張イベント記述子の先頭を示すものである。記述子長は、当フィールドから拡張記述子の最後までの長さを示すものである。以降は、曲名、歌手名など、属性情報が記載されている。
【００３３】
図６は、図２に示したＭＰＥＧ２−ＴＳの音声ＰＥＳとＥＩＴセクションの多重化の一例を示す図である。楽曲Ａ，Ｂ，Ｃは音声ＰＥＳのエレメンタリストリームに含まれる音楽データである。ＥＩＴは、対応する楽曲に先行して送られてくる。つまり、楽曲Ａのストリームの中に、楽曲ＢのためのＥＩＴが含まれている。つまり実際の楽曲の切り替わり点より、少しの時間だけ先行してＥＩＴが送られてくる。
【００３４】
楽曲属性切替点は、拡張イベント記述子内に含まれる記述子タグが受信された点を示している。楽曲切替点は、音声ＰＥＳのデコード処理中に、無音部検出部１７０において無音部が検出されたこと点を示している。
【００３５】
即ち、楽曲Ａの記録中に、後続の楽曲Ｂの属性情報を含むＥＩＴセクションを受信する。そして楽曲切替点（最初の無音部）を境にして、楽曲Ｂの記録を開始している。
【００３６】
これは、受信機の動作のラグを考慮し、ＥＩＴセクションは、音声データの切り替りより前に受信されるように多重化されている為である。
【００３７】
図７は、制御部２３０における、ディジタル音声放送の自動記録処理の一例を示すフローチャートである。ユーザが記録を希望する楽曲の属性情報を記録楽曲属性データ保持部２００に設定し、処理が開始されるものとする（ステップＳＴ１）。
【００３８】
楽曲属性情報Ｘを受信する（ステップＳＴ２）と、属性情報Ｘが楽曲属性比較部１８０に供給され、次に、属性情報Ｘに対応する設定属性情報が記録楽曲属性データ保持部２００に設定されてかどうかをチェックする（ステップＳＴ３）。属性情報Ｘに対応する設定属性情報が無い場合には、記録動作が停止操作されているかどうかをチェックし（ステップＳＴ４）、ステップＳＴ２に戻る。
【００３９】
ステップＳＴ３において一致する属性情報が検出された場合、記録制御部１９０は無音検出部１７０からの最初の無音検知信号の通知を待つ（ステップＳＴ５）。無音検知信号を受信した場合、スイッチＳＷをオンにし、記録装置２２０へ楽曲Ａの記録処理を開始させる（ステップＳＴ６）。
【００４０】
次に、記録を行いながら、次の楽曲属性情報Ｘの受信を待つ（ステップＳＴ７）。楽曲属性情報Ｘを受信する（ステップＳＴ７）と、この属性情報Ｘに対応する設定属性情報が記録楽曲属性データ保持部２００に設定されているかどうかをチェックする（ステップＳＴ８）
一致する属性情報が検出された場合、この検出から最初の無音検知信号の通知を待つ（ステップＳＴ９）。そして、無音検知信号が通知されると、現在までの楽曲（例えば楽曲Ａ）の記録の終了処理を実行し、次の楽曲（例えば楽曲Ｂ）の記録を開始する（ステップＳＴ１０）。そして、ステップＳＴ７に戻り、次の楽曲属性情報の受信を待つことになる。上記のステップＳＴ７，ＳＴ８，ＳＴ９，ＳＴ１０のルーチンは、たまたまユーザの希望している楽曲Ａ，Ｂが続けて受信された場合を処理した例である。
【００４１】
ステップＳＴ８において、受信した楽曲属性情報Ｘと一致する設定属性情報が見つからなかった場合、ステップＳＴ１１に移行し、記録動作の停止操作がされているかどうかをチェックする。停止操作がされていれば、終了するが、停止操作がされていない場合には、ステップＳＴ１２に移行して、設定している楽曲はすべて記録が済んだかどうかをチェックする。設定している楽曲のすべての記録が完了していれば、終了する。終了していない場合には、最初の無音検知が来たときに、今まで記録していた楽曲の記録終了処理を行い、ステップＳＴ２に戻る。
【００４２】
図８は、楽曲属性一致信号と無音検知信号とを用いて楽曲記録信号を生成するタイミングチャートである。この図８は、楽曲Ｂの記録開始と、記録終了を行った際を例としている。
【００４３】
（ａ）は楽曲属性比較部１８０から記録制御部１９０へ通知される楽曲属性一致信号である。ハイレベル状態が、楽曲Ｂ属性情報の一致信号が送信されているときを示している。（ｂ）は、無音検出部１７０から記録制御部１９０へ通知される最初の無音検知信号である。最初としたのは、楽曲属性検知した後から最初のという意味である。ハイレベル状態が、無音検知信号が送信されているときを示している。（ｃ）は、記録制御部１９０からスイッチＳＷを制御する為の楽曲記録信号である。ハイレベル状態が、楽曲記録信号が送信され、スイッチＳＷがオンになっていることを示している。
【００４４】
記録楽曲属性データ保持部２００には、楽曲Ｂの属性情報と一致するものが設定されているとする。ここで、楽曲Ｂの属性情報を含むＥＩＴセクションを受信したとすると、楽曲属性一致信号（ａ）がハイとなり、楽曲属性一致信号が送信される。記録制御部１９０に楽曲属性一致信号が供給されている状態で最初の無音検知信号（ｂ）がハイとなると、楽曲記録信号（ｃ）が送信され、記録処理が実行される状態となる。これにより楽曲Ｂの記録が開始される。
【００４５】
次に、楽曲Ｃの属性情報を含むＥＩＴセクションを受信する。しかし一致する属性情報が検出されなかった為、楽曲属性一致信号（ａ）はローとなる。そして次に最初の無音検知信号（ｂ）がハイとなる時点で、楽曲記録信号（ｃ）がローとなることにより、記録処理が終了される。
【００４６】
上記したように、ディジタル音声放送の楽曲の記録を行う際、属性情報を記録するか否かの判断に使用し、無音検出点から記録を開始させるようにしている。その為、ユーザ所望の楽曲を欠落や不要なデータのない状態で、綺麗に記録することが可能となる。
【００４７】
ここで、本発明は上記した実施の形態に限定されるものではない。属性情報はＭＰＥＧ２−ＴＳに含まれるものであればいくつ設定しても本発明の実施に何ら影響はない。
【００４８】
また、記録の開始と終了は無音検出点で行うとしたがこれに限定されるものではない。オブジェクトが切り替ったことを示す手段であれば如何なるものを用いても本発明の趣旨を逸脱することはない。
【００４９】
またさらに、本発明の目的は、ディジタル音声放送の楽曲の記録だけに限定されない。オブジェクトの内容が映像であっても、同様の手段を用いて本発明を実施することが出来る。
【００５０】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５１】
【図１】図１は、本発明に係わる音声ディジタル放送受信記録装置の構成例を示すブロック図である。
【図２】図２は、ディジタル音声放送におけるＭＰＥＧ２−ＴＳの構成の一例を示す図である。
【図３】図３は、図２に示したＭＰＥＧ２−ＴＳの、ＴＳヘッダの構成の一例を示す図である。
【図４】図４は、図２に示したＭＰＥＧ２−ＴＳの、音声ＰＥＳの構成の一例を示す図である。
【図５】図５は、図２に示したＭＰＥＧ２−ＴＳの、ＥＩＴセクションの構成の一例を示す図である。
【図６】図６は、図２に示したＭＰＥＧ２−ＴＳの音声ＰＥＳとＥＩＴセクションの多重化の一例を示す図である。
【図７】図７は、制御部における、ディジタル音声放送の自動記録処理の一例を示すフローチャートである。
【図８】図８は、楽曲属性一致信号と無音検知信号とを用いて楽曲記録信号を生成するタイミングチャートである。
【符号の説明】
【００５２】
１…音声ディジタル放送受信記録装置、１００…アンテナ、１１０…チューナ、１２０…ＭＰＥＧ２−ＴＳ分離部、１３０…音声ＰＥＳバッファ、１４０…音声デコーダ、１５０…スピーカ、１６０…ＥＩＴセクションバッファ、１７０…無音検出部、１８０…楽曲属性比較部、１９０…記録制御部、２００…記録楽曲属性データ保持部、２１０…記録バッファ、２２０…記録装置、２３０…制御部。
【図１】
2007172802.tif 000003
【図２】
2007172802.tif 000004
【図３】
2007172802.tif 000005
【図４】
2007172802.tif 000006
【図５】
2007172802.tif 000007
【図６】
2007172802.tif 000008
【図７】
2007172802.tif 000009
【図８】
2007172802.tif 000010